(57)【要約】【課題】  従来は、コンドームを、持ち歩くのに、皮の財布に入れるなどすると、財布に、リングの跡が残り、財布が、人前で、使えなくなり、携帯する事が、出来ず、病気などを、感染する原因でもあったので、デートを、楽しむ事も、できなかった。【解決手段】  そこで、財布のカード入れに入る、カードの大きさより小さい、コンドームが、１個入り開閉出来る、コンドーム入れカード型ケースを、考案した。  これを、財布に入れて、携帯する事によって、安全で、安心なデートを、楽しむ事が、出来る。【選択図】図５
0003136263.tif 000002
【実用新案登録請求の範囲】
【請求項１】
この物品は、財布のカード入れに、入る、カードの大きさより小さい、コンドームが、１個入り開閉出来る、コンドーム入れカード型ケースである。
【考案の詳細な説明】
【技術分野】  本考案は、財布のカード入れに、コンドーム入りカード型ケースを入れ、常に携帯するために、考案した物品である。
【背景技術】  従来は、皮の財布などに、コンドームを入れると、財布にリングの跡が残り、人前で、財布が使えなくなり、携帯する事が出来ず、病気などを、感染する原因でもあり、危険があった。
【考案の開示】
【考案が解決しようとする課題】  財布にリングの跡が、残らないように、携帯できる方法が、あったら安心である。
【課題を解決するための手段】  そこで、財布のカード入れに入る、カードより小さくした、コンドームが、１個入り開閉出来る、カード型のケースを考案した。
【考案の効果】  考案した物品を、財布に入れ、携帯する事により、安全であり、安心である。
【図面の簡単な説明】
【図１】  コンドーム入れカード型ケースの平面図である。
【図２】  コンドーム入れカード型ケースの裏面図である。
【図３】  コンドーム入れカード型ケースの側面図である。
【図４】  コンドーム入れカード型ケースの右側面図である。
【図５】  コンドーム入れカード型ケースの参考斜視図である。
【符号の説明】
１          つめ
２          穴
３          開閉部
４          カード
５          ケース
【図１】
0003136263.tif 000003
【図２】
0003136263.tif 000004
【図３】
0003136263.tif 000005
【図４】
0003136263.tif 000006
【図５】
0003136263.tif 000007
【手続補正書】
【提出日】平成18年12月12日(2006.12.12)
【手続補正１】
【補正対象書類名】実用新案登録請求の範囲
【補正対象項目名】全文
【補正方法】変更
【補正の内容】
【実用新案登録請求の範囲】
【請求項１】
財布のカード入れに、入る、カードの大きさより小さい、コンドームが、１個入り指先で開ける事が出来る、プラスチック等化学合成品で、出来ている、コンドーム入れカード型ケースである。
【手続補正２】
【補正対象書類名】明細書
【補正対象項目名】全文
【補正方法】変更
【補正の内容】
【考案の詳細な説明】
【技術分野】  本考案は、財布のカード入れに、コンドーム入りカード型ケースを入れ、常に携帯するために、考案した。
【背景技術】  従来は、皮の財布などに、コンドームを入れると、財布にリングの跡が残り、人前で、財布が使えなくなり、デートをする時に、コンドームを、携帯する事が出来ず、病気などを、感染する原因でもあり、危険があった。
【考案の開示】
【考案が解決しようとする課題】  財布にリングの跡が、残らないように、コンドームを、携帯できる方法が、あったら安心である。
【課題を解決するための手段】  そこで、財布のカード入れに入る、カードより小さくした、コンドームが、１個入り、指先で開ける事が出来る、プラスチック等化学合成品で出来ている、カード型のケースを考案した。
【考案の効果】  考案したコンドーム入れカード型ケースを、財布に入れ、携帯する事により、健康面で安全であり、精神的に安心である。
【図面の簡単な説明】
【図１】  コンドーム入れカード型ケースの平面図である。
【図２】  コンドーム入れカード型ケースの裏面図である。
【図３】  コンドーム入れカード型ケースのＡ部の断面図である。
【図４】  コンドーム入れカード型ケースの右側面図である。
【図５】  コンドーム入れカード型ケースの参考斜視図である。
【図６】  コンドーム入れカード型ケースのＢ部の部分拡大断面図である。
【符号の説明】
１      カード
２      ケース
３      接続部
４      つめ
５      穴
【手続補正３】
【補正対象書類名】図面
【補正対象項目名】全図
【補正方法】変更
【補正の内容】
【図１】
0003136263.tif 000008
【図２】
0003136263.tif 000009
【図３】
0003136263.tif 000010
【図４】
0003136263.tif 000011
【図５】
0003136263.tif 000012
【図６】
0003136263.tif 000013
【手続補正書】
【提出日】平成19年4月8日(2007.4.8)
【手続補正１】
【補正対象書類名】実用新案登録請求の範囲
【補正対象項目名】全文
【補正方法】変更
【補正の内容】
【実用新案登録請求の範囲】
【請求項１】
財布のカード入れに、入る、カードの大きさより小さい、コンドームが、１個入り指先で、ケース先端部を押し上げ、開ける事が出来る、プラスチック等化学合成品で、出来ている、コンドーム入れカード型ケース。
【手続補正２】
【補正対象書類名】明細書
【補正対象項目名】全文
【補正方法】変更
【補正の内容】
【考案の詳細な説明】
【技術分野】  本考案は、財布のカード入れに、コンドーム入りカード型ケースを入れ、常にコンドームを携帯するために、考案した。
【背景技術】  従来は、皮の財布などに、コンドームを入れると、財布にリングの跡が残り、人前で、財布が使えなくなり、デートをする時に、コンドームを、携帯する事が出来ず、病気などを、感染する原因でもあり、危険があった。
【考案の開示】
【考案が解決しようとする課題】  財布にリングの跡が、残らないように、コンドームを、携帯できる方法が、あったら安心である。
【課題を解決するための手段】  そこで、財布のカード入れに入る、カードより小さくした、コンドームが、１個入り、指先でケース先端部を押し上げ、開ける事が出来る、プラスチック等化学合成品で出来ている、カード型のケースを考案した。
【考案の効果】  考案したコンドーム入れカード型ケースを、財布に入れ、携帯する事により、健康面で安全であり、精神的に安心である。
【図面の簡単な説明】
【図１】  コンドーム入れカード型ケースの平面図。
【図２】  コンドーム入れカード型ケースの裏面図。
【図３】  コンドーム入れカード型ケースにコンドームが１個入った、Ａ部の断面図。
【図４】  コンドーム入れカード型ケースの右側面図。
【図５】  コンドーム入れカード型ケースを開けた時の参考斜視図。
【図６】  コンドーム入れカード型ケースのＢ部の部分拡大断面図。
【図７】  袋に入ったコンドームの平面図。
【図８】  コンドームの入った袋の、片側を折り小さくした、コンドーム入り袋の斜視図。
【符号の説明】
１          カード
２          ケース
３          接続部
４          ケース  ストッパー用のつめ
５          ケース  ストッパー用の穴
６          ケース先端部
７          袋に入ったコンドーム
８          片側を折り小さくした、コンドームの入った袋
【手続補正３】
【補正対象書類名】図面
【補正対象項目名】全図
【補正方法】変更
【補正の内容】
【図１】
0003136263.tif 000014
【図２】
0003136263.tif 000015
【図３】
0003136263.tif 000016
【図４】
0003136263.tif 000017
【図５】
0003136263.tif 000018
【図６】
0003136263.tif 000019
【図７】
0003136263.tif 000020
【図８】
0003136263.tif 000021
【手続補正書】
【提出日】平成19年7月16日(2007.7.16)
【手続補正１】
【補正対象書類名】実用新案登録請求の範囲
【補正対象項目名】全文
【補正方法】変更
【補正の内容】
【実用新案登録請求の範囲】
【請求項１】
財布のカード入れに入る、カードの大きさより小さく、コンドームの入った袋の片側を折り小さくした、コンドーム入り袋が、１個入り、ケースの中間に接続部があるケース先端部を指先で押し上げ、開けてコンドームを取り出し、ケースの開いている部分を指ではさみ閉じる事が出来る、プラスチック等化学合成品で、出来ている、コンドーム入れカード型ケース。